(57)【要約】【課題】吸気マニホルドの集合部を分割構造とすることにより、集合部の隅部の形状に無関係に吸気集合室での吸気の流れを円滑にして、体積効率の向上を図る。【解決手段】多気筒内燃機関の吸気マニホルドＭは、吸気集合室11を形成する集合部10と、複数の吸気分岐路22を形成する分岐部20とを備える。集合部10は、吸気集合室11を構成する第１，第２空間11ａ，11ｂをそれぞれ形成する第１，第２ケースＡ，Ｂが結合されて構成される。第１，第２ケースＡ，Ｂには隅部31ａ，31ｂが一体成形される。第２ケースＢには、第１，第２ケースＡ，Ｂ内に渡って延びて隅部31ａ，31ｂの内面31a1，31b1を覆って配置される整流部40が設けられる。整流部40は、内面31a1，31b1に比べて吸気を円滑に案内する案内面44を有する。【選択図】図２
2008223737.tif 000002
【特許請求の範囲】
【請求項１】
吸気入口を有する吸気集合室を形成する集合部と、前記吸気集合室から分岐して各燃焼室に吸気を導く複数の吸気分岐路を形成する分岐部とを備える、多気筒内燃機関の吸気マニホルドにおいて、
前記集合部は、前記吸気集合室を構成する第１空間および第２空間をそれぞれ形成する第１分割体および第２分割体が結合されて構成され、前記第１分割体および前記第２分割体の少なくとも前記第１分割体には隅部が一体成形され、前記第２分割体には、前記第１分割体内および前記第２分割体内に渡って延びて前記隅部の内面を覆って配置される整流部が設けられ、前記整流部は、前記内面に比べて吸気を円滑に案内する案内面を有することを特徴とする多気筒内燃機関の吸気マニホルド。
【請求項２】
前記第１分割体には前記分岐部が一体成形され、前記整流部は、前記吸気分岐路の仮想延長通路上に配置され、前記第１分割体の前記隅部は前記仮想延長通路の外側に配置されることを特徴とする請求項１記載の多気筒内燃機関の吸気マニホルド。
【発明の詳細な説明】
【技術分野】
【０００１】
本発明は、多気筒内燃機関に備えられる吸気マニホルドであって、吸気集合室を形成する集合部と該吸気集合室から分岐して各燃焼室に吸気を導く複数の吸気分岐路を形成する分岐部とを備える吸気マニホルドに関する。
【背景技術】
【０００２】
多気筒内燃機関の吸気マニホルドに、吸気マニホルドと燃焼室との間の吸気の流れを円滑にするためのガイドが設けられたものは知られている（例えば特許文献１参照）。
【特許文献１】特開２００３−７４４３１号公報
【発明の開示】
【発明が解決しようとする課題】
【０００３】
吸気入口を有する吸気集合室を形成する集合部と、該吸気集合室から分岐する複数の吸気分岐路を形成する分岐部とを備える多気筒内燃機関の吸気マニホルドにおいて、吸気負圧が作用する集合部の剛性を確保するために、集合部の隅部を特定の形状、例えば角張った形状にすることがある。また、集合部に分岐部が一体成形される場合には、吸気分岐路を形成する孔用成形型の型抜きを容易にして、成形型の複雑化による吸気マニホルドのコスト高を回避するために、集合部の成形が容易になるように集合部の形状が設定される。
このとき、該孔用成形型が集合部の隅部と干渉しないように、隅部を特定の形状、例えば角張った形状とすることが必要になることがある。
しかしながら、前述のような集合部の剛性上または成形上の要請に基づく集合部の形状は、吸気集合室での吸気の円滑な流れを妨げて体積効率の低下を招来することがある。
【０００４】
本発明は、このような事情に鑑みてなされたものであり、請求項１，２記載の発明は、吸気マニホルドの集合部を分割構造とすることにより、集合部の隅部の形状に無関係に吸気集合室での吸気の流れを円滑にして、体積効率の向上を図ることを目的とする。そして、請求項２記載の発明は、さらに、吸気分岐路を形成する分岐部が集合部に一体成形されるときの成形型の複雑化を防ぐことを目的とする。
【課題を解決するための手段】
【０００５】
請求項１記載の発明は、吸気入口を有する吸気集合室を形成する集合部と、前記吸気集合室から分岐して各燃焼室に吸気を導く複数の吸気分岐路を形成する分岐部とを備える、多気筒内燃機関の吸気マニホルドにおいて、前記集合部は、前記吸気集合室を構成する第１空間および第２空間をそれぞれ形成する第１分割体および第２分割体が結合されて構成され、前記第１分割体および前記第２分割体の少なくとも前記第１分割体には隅部が一体成形され、前記第２分割体には、前記第１分割体内および前記第２分割体内に渡って延びて前記隅部の内面を覆って配置される整流部が設けられ、前記整流部は、前記内面に比べて吸気を円滑に案内する案内面を有する多気筒内燃機関の吸気マニホルドである。
請求項２記載の発明は、請求項１記載の多気筒内燃機関の吸気マニホルドにおいて、前記第１分割体には前記分岐部が一体成形され、前記整流部は、前記吸気分岐路の仮想延長通路上に配置され、前記第１分割体の前記隅部は前記仮想延長通路の外側に配置されるものである。
【発明の効果】
【０００６】
請求項１記載の発明によれば、吸気マニホルドの集合部は第１，第２分割体から構成される分割構造とされている。このため、集合部の剛性を高めるためなどの理由で、第１，第２分割体の少なくとも第１分割体に隅部が一体成形される場合にも、第２分割体に設けられた整流部により、隅部の形状に無関係に吸気集合室での吸気の流れを円滑にすることができ、しかも該整流部は第１，第２分割体内に渡って延びているので、吸気集合室において広範囲に渡って吸気の流れを円滑にすることができるので、体積効率が向上する。
請求項２記載の事項によれば、整流部が吸気分岐路の仮想延長通路上に配置されるので、吸気集合室に流入した吸気を円滑に吸気分岐路に導くことができる。さらに、吸気分岐路を形成する分岐部が第１分割体に一体成形される場合にも、吸気分岐路を形成する成形型の型抜きが、整流部により妨げられることがないので、集合部に分岐部が一体成形されるときの設計の自由度が高まると共に成形型の複雑化を防ぐことができて、吸気マニホルドのコスト増加を回避できる。
【発明を実施するための最良の形態】
【０００７】
以下、本発明の実施形態を図１，図２を参照して説明する。
図１を参照すると、本発明が適用された吸気マニホルドＭは、車両に搭載される多気筒内燃機関としての直列４気筒内燃機関に備えられる。該内燃機関は、複数である所定数のシリンダ、ここでは４つのシリンダが直列に配列されて一体成形されたシリンダブロックと、該シリンダブロックに結合されるシリンダヘッドと、該シリンダヘッドに結合されるヘッドカバーとから構成される機関本体を備える。
【０００８】
さらに、前記内燃機関は、前記各シリンダに往復動可能に嵌合されると共に燃焼室で発生する燃焼ガスの圧力により駆動されて前記シリンダブロックに回転可能に支持されたクランク軸を回転駆動するピストンと、燃焼室に吸気を導く吸気装置と、燃焼ガスを排気ガスとして該燃焼室から内燃機関の外部に導く排気装置とを備える。ここで、燃焼室は、前記各シリンダと該シリンダに嵌合する前記ピストンと前記シリンダヘッドとにより形成される空間である。
【０００９】
前記吸気装置は、吸入された空気を清浄にするエアクリーナ１（図２（ａ）参照）と、エアクリーナ１からの空気を含む吸気の吸気量を制御するスロットル弁を備えるスロットル装置２（図２（ａ）参照）と、スロットル装置２を流通した吸気を各燃焼室に導く吸気マニホルドＭとを備える。
【００１０】
前記吸気装置により形成される吸気通路を流通した吸気は、前記シリンダヘッドに設けられた各吸気ポートを経て各燃焼室に吸入される。なお、吸気には、燃料が吸気装置内で供給される場合における燃料と空気との混合気、または燃料が燃焼室内に直接供給される場合における空気が含まれる。
なお、上流および下流との用語は、吸気の流れに関してのものである。
【００１１】
図１，図２を参照すると、吸気マニホルドＭは、スロットル装置２からの吸気が流入する吸気集合室11を形成する集合部10と、吸気集合室11から分岐して各燃焼室に吸気をそれぞれ導く吸気分岐路22を形成する分岐部20と、下流側接続部としての下流側フランジ28とを備える。
下流側フランジ28には、各吸気分岐路22に連通する下流側分岐路を形成する下流側吸気管（図示されず）が接続され、該下流側吸気管が前記シリンダヘッドに接続される。なお、内燃機関の種類によっては、前記下流側吸気管を介することなく、下流側フランジ28が前記シリンダヘッドに接続されてもよい。
【００１２】
集合部10は、４つの前記シリンダの配列方向である気筒配列方向での両端に位置する両端室壁12，13と、各吸気分岐路22の入口22ｉが開口する下流室壁14と、各吸気分岐路22に沿う方向で下流室壁14と対向する上流室壁15と、第１室壁としての底壁16および第２室壁としての天井壁17とを有し、これら室壁12〜17が一体に連続することで吸気集合室11が形成される。吸気集合室11は、後述する吸気入口11ｉを有する導入路11ｄと拡大室11ｅとから構成される。
【００１３】
気筒配列方向での集合部10の一端側10ｃには、スロットル装置２において前記スロットル弁が配置される吸気道を形成するボディであるスロットルボディが接続される上流側接続部18が設けられる。この接続部18は、吸気集合室11に流入する吸気の入口である吸気入口11ｉを有する導入路11ｄを形成しており、集合部10の入口部である。
【００１４】
また、気筒配列方向での他端側10ｄには角張った隅部31が設けられる。この隅部31と同様に角張った隅部32，33が下流室壁14側にも形成されている。これら隅部31〜33は、吸気負圧が作用する集合部10の剛性を高める。
【００１５】
集合部10は、結合面Ａ２，Ｂ２において互いに気密に結合されて吸気集合室11を形成する第１分割体としての第１ケースＡと、第２分割体としての第２ケースＢから構成される分割構造を有する。第１，第２ケースＡ，Ｂは、それぞれ、吸気集合室11を構成する室部分である第１，第２空間11ａ，11ｂを形成する。ここでは、第１，第２ケースＡ，Ｂは、それぞれ合成樹脂により成形型を使用して成形された単一の部材であり、結合面Ａ２，Ｂ２を有する縁部Ａ１，Ｂ１同士が結合手段としての熱溶着により結合される。
【００１６】
第１ケースＡには、端室壁12の部分である第１端室壁12ａと、端室壁13の部分である第１端室壁13ａと、下流室壁14の部分である第１下流室壁14ａと、第１上流室壁15の部分である第１上流室壁15ａと、底壁16と、気筒配列方向に順次並んだ４つの吸気分岐路22を形成する分岐部20と、隅部31の第１ケースＡ側の部分である第１隅部31ａと、下流側フランジ28とが一体成形されて設けられる。そして、第１端室壁12ａと第１端室壁13ａと第１下流室壁14ａと第１上流室壁15ａと底壁16とにより、第１空間11ａを形成する第１集合部10ａが構成される。
【００１７】
第１端室壁12ａには接続部18の部分である第１接続部18ａが一体成形される。第１隅部31ａは、第１下流室壁14ａよりも上流の位置において、第１端室壁13ａと第１上流室壁15ａとにより形成される。この第１隅部31ａにより第１集合部10ａの剛性が高められている。
【００１８】
分岐部20は、吸気分岐路22を形成する各吸気管21が集まって一体成形されて構成される。下流に向かって先細となるテーパ形状を有する各吸気分岐路22は、第１ケースＡを製造するために第１ケースＡが成形型により成形される際に、孔用成形型により形成される。
そして、該孔用成形型は、入口22ｉを通じて、上流側に、または第１空間11ａ側（すなわち吸気集合室11側）に、吸気分岐路22を吸気分岐路22に沿う方向で延長した仮想延長通路22ｐ上に沿って型抜きされる（図１，図２（ａ）には、代表して、後述する吸気分岐路22ｃの仮想延長通路22ｐが二点鎖線で示されている。）。そして、この型抜きが第１ケースＡにより妨げられないように、第１隅部31ａおよび第１室壁15において縁部Ａ１を構成する第１縁部Ａ1aは、それぞれ、仮想延長通路22ｐの一部であって吸気分岐通路22の通路長Ｌ２に等しい長さを有する仮想延長通路部分22p1上には配置されない、換言すれば仮想延長通路部分22p1の外側に配置されることとなる。
そして、図２（ａ）に示されるように、各吸気分岐路22の通路長Ｌ２は、入口22ｉと隅部31ａまたは第１縁部Ａ1aとの間の、仮想延長通路22ｐに沿う方向（以下、「延長方向」という。）での間隔Ｌ１よりも小さい。これにより、吸気集合室11の第１空間11ａ内で前記孔用成形型の型抜きを可能とするスペースが、前記延長方向で、下流室壁14と上流室壁15との間に形成される。
さらに、第１隅部31ａの屈曲部31a2、すなわち第１隅部31ａにおいて第１端室壁13ａと第１上流室壁15ａとを接続している折曲または湾曲した部分は、仮想延長通路22ｐ上には配置されない、換言すれば仮想延長通路22ｐの外側に配置されることとなる。
【００１９】
第２ケースＢには、端室壁12の部分であって第１端室壁12ａと結合されて端室壁12を構成する第２端室壁12ｂと、端室壁13の部分であって第１端室壁13ａと結合されて端室壁13を構成する第２端室壁13ｂと、下流室壁14の部分であって第１下流室壁14ａと結合されて下流室壁14を構成する第２下流室壁14ｂと、第１上流室壁15の部分であって第１上流室壁15ａと結合されて第１上流室壁15を構成する第２上流室壁15ｂと、天井壁17と、隅部31の第２ケースＢ側の部分であって第１隅部31ａと結合されて隅部31を構成する第２隅部31ｂと、吸気集合室11での吸気の流れを円滑にする整流部40と、接続部18の部分であって第１接続部18ａと結合されて接続部18を構成する第２接続部18ｂとが一体成形されて設けられる。そして、第２端室壁12ｂと第２端室壁13ｂと第２下流室壁14ｂと第２上流室壁15ｂと天井壁17とにより、第２空間11ｂを形成する第２集合部10ｂが形成される。第２隅部31ｂにより第２集合部10ｂの剛性が高められている。
【００２０】
板状で、かつ円弧状に湾曲している整流部40は、第２端室壁13ｂおよび第２上流室壁15ｂに跨って一体成形されて設けられて、第２ケースＢにおいて第２隅部31ｂの内面31b1を覆って配置され、さらに第２端室壁13ｂおよび第２上流室壁15ｂから縁部Ｂ１を越えて第１隅部31ａに向かって突出して延びている。
【００２１】
そして、第１，第２ケースＡ，Ｂが結合された吸気マニホルドＭにおいて、整流部40は、第２ケースＢ内または第２空間11ａ内から第１ケースＡ内または第１空間11ｂ内まで延びており、第１ケースＡにおいて第１隅部31ａの内面31a1を覆って配置される。
【００２２】
整流部40は、第２端室壁13ｂと第２上流室壁15ｂと天井壁17との接続部41と、隅部31の内面31a1，31b1よりも吸気集合室11のより内側に間隔をおいて配置される湾曲部42とを有する。接続部41は、第２端室壁13ｂ、第２上流室壁15ｂおよび天井壁17と気密状態で接続されている。湾曲部42が隅部31から離れていることから、整流部40と隅部31とにより、整流部40の背後に位置すると共にその容積が吸気集合室11の容積に比べて小さい背後空間47が形成される。このため、隅部31は整流部40よりも吸気集合室11の外側に張り出した張出部となっている。
【００２３】
吸気集合室11の壁面を構成する整流部40の案内面44は、その最大曲率が両隅部31ａ，31ｂの内面31a1，31b1の最大曲率よりも小さい湾曲面により構成される。したがって、案内面44は、内面31a1，31b1に比べて、吸気集合室11内の吸気をより円滑に案内する。また、吸気入口11ｉを含む導入路11ｄと案内面44とは、気筒配列方向で対向する位置にあることから、案内面44には、吸気入口11ｉから吸気集合室11に流入して、導入路11ｄで案内された後に拡大室11ｅに流入した吸気が当たりやすい。
【００２４】
整流部40は、４つの吸気分岐路22のうち、気筒配列方向で最も端室壁13ａおよび隅部31ａに近い吸気分岐路22ｃの仮想延長通路22ｐ上に配置され、しかもこの実施形態では仮想延長通路部分22p1上にも配置される（図１，図２（ａ）参照）。したがって、整流部40が第１ケースＡに一体成形されると仮定すると、吸気分岐路22を形成する孔用成形型の型抜きは整流部40により妨げられることになる。
【００２５】
次に、前述のように構成された実施形態の作用および効果について説明する。
吸気マニホルドＭの集合部10は、吸気集合室11を構成する第１空間11ａおよび第２空間11ｂをそれぞれ形成する第１ケースＡおよび第２ケースＢが結合されて構成され、第１ケースＡおよび第２ケースＢには隅部31を構成する隅部31ａ，31ｂがそれぞれ一体成形され、第２ケースＢには、第１空間11ａおよび第２空間11ｂに渡って延びて両隅部31ａ，31ｂの内面31a1，31b1を覆って配置される整流部40が設けられ、整流部40は、内面31a1，31b1に比べて吸気を円滑に案内する案内面44を有することにより、吸気マニホルドＭの集合部10は第１，第２ケースＡ，Ｂから構成される分割構造とされているため、集合部10の剛性を高めるためなどの理由で、第１，第２ケースＡ，Ｂに隅部31ａ，31ｂが一体成形される場合にも、第２ケースＢに設けられた整流部40により、隅部31の形状に無関係に吸気集合室11での吸気の流れを円滑にすることができ、しかも該整流部40は第１，第２ケースＡ，Ｂ内に渡って延びているので、吸気集合室11において広範囲に渡って吸気の流れを円滑にすることができるので、体積効率が向上する。
また、整流部40は第２ケースＢのみに設けられるので、整流部40が第１，第２ケースＡ，Ｂに設けられる場合に比べて、集合部10の成形による製造が容易になる。
【００２６】
第１ケースＡには複数の吸気分岐路22を形成する分岐部20が一体成形され、整流部40はそれら吸気分岐路22の１つである吸気分岐路22ｃの仮想延長通路22ｐ上に配置されることにより、吸気集合室11に流入した吸気を円滑に吸気分岐路22に導くことができる。さらに、吸気分岐路22を形成する分岐部20が第１ケースＡに一体成形される場合にも、吸気分岐路22を形成する成形型の型抜きが、整流部40により妨げられることがないので、集合部10に分岐部20が一体成形されるときの設計の自由度が高まると共に成形型の複雑化を防ぐことができて、吸気マニホルドＭのコスト増加を回避できる。
そして、整流部40が吸気分岐路22ｃの通路長L2に等しい長さの仮想延長通路部分22p1上に配置されることにより、前記延長方向での集合部10の幅が小さくされて集合部10が該延長方向でコンパクト化された吸気マニホルドＭにおいても、吸気集合室11に流入した吸気を円滑に吸気分岐路22に導くことができる。
また、第１隅部31ａおよび第１上流室壁15ａが、それぞれ、仮想延長通路22ｐにおいて吸気分岐路22の通路長Ｌ２に等しい長さを有する仮想延長通路部分22p1の外側に配置されることにより、分岐部20が第１ケースＡに一体成形される場合に、吸気分岐路22を形成する成形型の型抜きが、整流部40により妨げられることがないのはもちろん、第１隅部31ａおよび第１上流室壁15ａによっても妨げられることがないので、集合部10に分岐部20が一体成形されるときの設計の自由度が高まると共に成形型の複雑化を防ぐことができる。
【００２７】
以下、前述した実施形態の一部の構成を変更した実施形態について、変更した構成に関して説明する。
第１，第２ケースＡ，Ｂの形状によっては、集合部10の剛性を高めるために、第１ケースＡのみに隅部31が形成されてもよい。
整流部40は、隅部31との間に背後空間47を形成しないような形状であってもよい。
整流部40は、仮想延長通路22ｐ上に配置される一方で、仮想延長通路部分22p1の外側に配置されてもよい。
多気筒内燃機関は、４以外の複数の気筒を備えるものであってよく、また１つのバンクが複数の気筒から構成されるＶ型または水平対向型の内燃機関であってもよい。
前記所定数は、必ずしも内燃機関の全気筒数と同じである必要はなく、気筒数よりも小さい数であってもよい。
内燃機関は、前記実施形態では車両に使用されるものであったが、鉛直方向を指向するクランク軸を備える船外機等の船舶推進装置に使用されるものであってもよい。
【図面の簡単な説明】
【００２８】
【図１】本発明が適用された吸気マニホルドの分解図である。
【図２】（ａ）は、図１の吸気マニホルドの第１ケースを結合面から見た図であり、（ｂ）は、図１の吸気マニホルドの第２ケースを結合面から見た図である。
【符号の説明】
【００２９】
10…集合部、11…吸気集合室、20…分岐部、22…吸気分岐路、31…隅部、40…整流部、44…案内面、
Ｍ…吸気マニホルド、Ａ…第１ケース、Ｂ…第２ケース。
【図１】
2008223737.tif 000003
【図２】
2008223737.tif 000004